(57)【要約】【課題】熱の影響を受けないように電子部品を保護することができる照明器具を提供する。【解決手段】照明器具１０は、器具本体１１と、電源給電アダプタと、アダプタ取付部品と、放電灯と、点灯回路部２６および受光素子２３を有する放電灯点灯装置１３と、アダプタ取付部品の略１／２周を囲むように配置され、点灯回路部２６および受光素子２３をそれぞれ分離した位置に実装する単一の回路基板３１と、アダプタ取付部品の略１／４周面に沿って点灯回路部２６を覆う金属ケース２１と、アダプタ取付部品の略１／４周面に沿って受光素子２３および周辺回路を覆う樹脂ケース２２と、を備えた。【選択図】図４
2010251264.tif 000002
【特許請求の範囲】
【請求項１】
器具本体と、
前記器具本体の中央部に配置された電源給電アダプタと、
前記電源給電アダプタに外装されるアダプタ取付部品と、
前記器具本体に保持される放電灯と、
商用電源を受けて高周波電力に変換し、前記放電灯を点灯する点灯回路部および照明状態を制御する赤外線リモコン信号を受信する受光素子を有する放電灯点灯装置と、
前記アダプタ取付部品の略１／２周を囲むように配置され、前記点灯回路部および前記受光素子をそれぞれ分離した位置に実装する単一の回路基板と、
前記アダプタ取付部品の略１／４周面に沿って前記点灯回路部を覆う金属ケースと、
前記アダプタ取付部品の略１／４周面に沿って前記受光素子とおよび周辺回路を覆う樹脂ケースと、
を備えたことを特徴とする照明器具。
【請求項２】
前記金属ケースと前記樹脂ケースとの境界付近の高さは、前記樹脂ケースの方が低く設定されていることを特徴とする請求項１に記載した照明器具。
【請求項３】
前記放電灯は、ランプ最冷点を口金近傍に有する環状ランプであり、
前記樹脂ケースは前記放電灯の内径の内側に設置されて、その近傍にランプソケットを配置し、
前記ランプ最冷点は、高さが低い前記樹脂ケース付近に設定されていることを特徴とする請求項１または２に記載した照明器具。
【請求項４】
前記金属ケースと前記樹脂ケースとの境界付近の前記樹脂ケースに操作スイッチを配置したことを特徴とする請求項１〜３のいずれか１項に記載した照明器具。
【発明の詳細な説明】
【技術分野】
【０００１】
本発明は、例えば住宅等の天井面に直接取り付けられる直付型の照明器具に関する。
【背景技術】
【０００２】
本発明者らは、点灯回路部と赤外線リモコン信号を受信する受光素子と同一の回路基板上に実装した照明器具を既に提案している（例えば、特許文献１参照）。
【先行技術文献】
【特許文献】
【０００３】
【特許文献１】特開２００９−０５４４８８号公報（図１、請求項１）
【発明の概要】
【発明が解決しようとする課題】
【０００４】
上記特許文献１に開示された従来の照明器具は、受光素子を実装した回路基板と点灯回路部を実装した回路基板とを分離したものと比べて、電線や、その接続用のコネクタによるコスト高を排除し、ランプソケットの器具内配線の簡素化を実現することができる。
【０００５】
しかし、上記特許文献１に開示された従来の照明器具では、確かに、受光素子を有するリモコンユニットと点灯回路部の回路基板とを接続するための電線やコネクタを不要にすることができるものの、放電灯を点灯させるためのインバータ用の回路基板上に受光素子が実装され、単一の回路基板をケースで覆う構成になっている。
これにより、点灯回路部に有する電子部品の温度上昇が大きい場合、これらに共存する温度定格の低い受光素子およびその周辺回路の電子部品が影響を受けやすく、温度定格を満たさなくなる場合がある。
従って、その対策として温度定格の高い電子部品の選定が必要となって部品コストが高くなる虞があるとともに、ケースの影響でランプ最冷点が上昇し、光束が十分でなくなる虞がある。
【０００６】
本発明は、前述した課題を解決するためになされたものであり、その目的は、熱の影響を受けないように電子部品を保護することができる照明器具を提供することにある。
【課題を解決するための手段】
【０００７】
本発明に係る照明器具は、器具本体と、前記器具本体の中央部に配置された電源給電アダプタと、前記電源給電アダプタに外装されるアダプタ取付部品と、前記器具本体に保持される放電灯と、商用電源を受けて高周波電力に変換し、前記放電灯を点灯する点灯回路部および照明状態を制御する赤外線リモコン信号を受信する受光素子を有する放電灯点灯装置と、前記アダプタ取付部品の略１／２周を囲むように配置され、前記点灯回路部および前記受光素子をそれぞれ分離した位置に実装する単一の回路基板と、前記アダプタ取付部品の略１／４周面に沿って前記点灯回路部を覆う金属ケースと、前記アダプタ取付部品の略１／４周面に沿って前記受光素子および周辺回路を覆う樹脂ケースと、を備えたことを特徴とする。
【０００８】
本発明においては、点灯回路部と受光素子や周辺回路を分離して実装し、熱伝導率の良い金属ケースで温度上昇の高い点灯回路部を覆うことにより放熱効果をもたらし、熱伝導率の悪い樹脂ケースで温度定格の低い受光素子および周辺回路を覆うことにより熱を遮断することができる。
これにより、点灯回路部の温度上昇の影響を、温度定格の低い受光素子および周辺回路は極力受けることなく同一の回路基板上に実装することができるとともに回路基板を覆うそれぞれのケースも小型化および簡素化が可能となる。さらに、点灯回路部、点灯回路部と受光素子および周辺回路とを接続するための部品や電線等を不要にすることができる。また、温度は、器具本体の中心部になるほど低くなる傾向があり、アダプタ取付部品の略１／２周を囲むような形状の回路基板を適用することにより実装面積も十分確保できるのに加えて、温度を配慮した形態により信頼性を向上させることができる。
従って、熱の影響を受けないように電子部品を保護することができる。
【０００９】
本発明に係る照明器具は、上記構成の照明器具において、前記金属ケースと前記樹脂ケースとの境界付近の高さは、前記樹脂ケースの方が低く設定されていることを特徴とする。
【００１０】
本発明においては、金属ケース内の高い温度が樹脂ケース内の低い温度の方へ流れるのを遮断することが可能になる。
従って、温度定格の低い受光素子および周辺回路の温度上昇を抑制することによりさらに信頼性の向上を図ることができる。
【００１１】
本発明に係る照明器具は、上記構成の照明器具において、前記放電灯は、ランプ最冷点を口金近傍に有する環状ランプであり、前記樹脂ケースは前記放電灯の内径の内側に設置されて、その近傍にランプソケットを配置し、前記ランプ最冷点は、高さが低い前記樹脂ケース付近に設定されていることを特徴とする。
【００１２】
本発明においては、ランプ最冷点付近の樹脂ケースの高さを低くすることで空間が形成できるために、最冷点温度が下がり、光束が上昇する。
従って、器具効率の向上を図ることができる。
【００１３】
本発明に係る照明器具は、上記構成の照明器具において、前記金属ケースと前記樹脂ケースとの境界付近の前記樹脂ケースに操作スイッチを配置したことを特徴とする。
【００１４】
本発明においては、リモコン受信設定用の操作スイッチは、操作性を考慮して低背を使用する場合が多いが、高さの低い樹脂ケースを用いて操作スイッチを配置することができる。
従って、操作スイッチ設置用のスペースを別所に設ける必要がなくなって樹脂ケースの小型化を図ることができる。
【発明の効果】
【００１５】
本発明の照明器具によれば、アダプタ取付部品の略１／２周を囲むように配置され、点灯回路部および受光素子をそれぞれ分離した位置に実装する単一の回路基板と、アダプタ取付部品の略１／４周面に沿って点灯回路部を覆う金属ケースと、アダプタ取付部品の略１／４周面に沿って受光素子とおよび周辺回路を覆う樹脂ケースと、を備えた。
これにより、高発熱部品である放電灯回路部の電子部品は熱伝導率の高い金属ケースで覆い、これに反して、温度定格の低い受光素子や周辺回路部の電子部品は熱伝導率の低い樹脂ケースで覆うことにより、熱の影響を受けないように電子部品を保護することができるという効果を有する。
【図面の簡単な説明】
【００１６】
【図１】本発明に係る第１実施形態の照明器具の垂直断面図
【図２】図１に示した照明器具の底面図
【図３】図１に示した照明器具における放電灯点灯装置の回路図
【図４】図１に示した照明器具における放電灯点灯装置の内部を説明する底面図
【図５】本発明に係る第２実施形態の照明器具の底面図
【図６】図５のＡ−Ａ線断面図
【発明を実施するための形態】
【００１７】
（第１実施形態）
以下、本発明の第１実施形態に係る照明器具について図面を参照して説明する。
【００１８】
図１に示すように、本発明の第１実施形態である照明器具１０は、器具本体１１と、２重管環状の放電灯１２，１２と、放電灯点灯装置１３と、グローブ１４とを主として備える。
【００１９】
図２に示すように、器具本体１１は、金属製で円板形状に形成されている。器具本体１１の中央部には不図示の天井面に設けられている省施工用部品に外装される丸孔形状の開口部１５が形成されている。
【００２０】
開口部１５には、天井面に取り付けて天井側の電源線から放電灯点灯装置１３へ電流を供給するための電源給電アダプタ１６と楕円状（小判形状）のアダプタ取付部品１７とが取り付けられている。
【００２１】
器具本体１１の外縁部には複数のグローブ止め具１８が取り付けられており、これらグローブ止め具１８に放電灯１２を覆ってグローブ１４が回動装着される。
【００２２】
放電灯１２は、それらの一部に口金１９を有し、器具本体１１に取り付けられている不図示のランプ保持部品により器具本体１１に保持されている。口金１９はランプソケット２０を通じて放電灯点灯装置１３に電気的に接続される。
【００２３】
放電灯点灯装置１３は、図２中の横方向に長さを有する金属ケース２１と、図２中の縦方向に長さを有して金属ケース２１に連結された樹脂ケース２２と、を備えて全体をＬ字形状に形成している。
【００２４】
樹脂ケース２２には、ランプソケット２０、受光素子２３、常夜灯２４、操作スイッチ２５を装備している。
【００２５】
図３に示すように、放電灯点灯装置１３は、点灯回路部２６とリモコン制御部２７とを有する。
【００２６】
点灯回路部２６は、商用電源ACを受けて高周波電力に変換し、放電灯１２を点灯するための昇圧チョッパ回路からなるAC-DC変換部２８と、AC−DC変換部２８で変換された直流電圧を高周波に変換するインバータ部２９と、それらを制御する点灯制御回路部３０から構成されている。
【００２７】
リモコン制御部２７は、照明状態を制御する赤外線リモコン信号を受信する受光素子２３と、常夜灯２４と、受信信号のチャンネル切換えやリセット等を司る操作スイッチ２５と、不図示の周辺回路と、から構成されている。
【００２８】
図４に示すように、放電灯点灯装置１３は、点灯回路部２６とリモコン制御部２７とを分離した位置にそれぞれ実装した単一の回路基板３１を有する。回路基板３１は器具本体１１上のアダプタ取付部品１７の略１／２周を囲むようなＬ字形状に形成されている。
【００２９】
回路基板３１には、ランプソケット２０に接続される一対のランプ出力コネクタ３２と、電源給電アダプタ１６から引き出される不図示の電源配線のコネクタが接続される電源入力コネクタ３３が実装されている。
【００３０】
放電灯点灯装置１３は、金属ケース２１がアダプタ取付部品１７の略１／４周面に沿って形成され、樹脂ケース２２がアダプタ取付部品１７の略１／４周面に沿って形成されている。金属ケース２１は予め定められた厚さおよび表面積を有して熱伝導率が高い。これに対して、樹脂ケース２２は予め定められた厚さおよび表面積を有して熱伝導率が低い。
【００３１】
ここで、例えば、単一の金属ケースで比較的温度定格の低い受光素子２３を含めてリモコン制御部２７を覆った場合、金属ケースから伝導される熱により内部雰囲気の温度が上昇し、定格を超えてしまうことが考えられる。
【００３２】
これに対し、熱伝導率の高い金属ケース２１で温度上昇の高い点灯回路部２６を覆うことにより、ケース内部の雰囲気を、金属ケース２１を通じて放熱することができる。
これにより、金属ケース２１に収容されている点灯回路部２６の温度上昇を軽減することができる。
【００３３】
一方、リモコン制御部２７に有する受光素子２３は、点灯回路部２６と比較して温度定格が30℃程度低い。金属ケース２１内の雰囲気温度は、放電灯１２の煽り熱の影響もあり、リモコン制御部２７の温度定格とほぼ等しいかそれ以上になっている。金属ケース２１の表面温度は放電灯１２の煽り熱と点灯回路部２６の放熱温度が重畳して、さらに高くなる。
【００３４】
そこで、高温になっている金属ケース２１からの伝導熱を遮断するために、熱伝導率の低い樹脂ケース２２で温度定格の低い受光素子２３を含むリモコン制御部２７を覆い、且つ放電灯１２からの放射熱も遮断して雰囲気温度を上げることを抑制している。
【００３５】
このような金属ケース２１と樹脂ケース２２との２ピース構造により、点灯回路部２６の温度上昇の影響を、温度定格の低い受光素子２３を含むリモコン制御部２７が極力受けることなく同一の回路基板３１上に実装した。
これにより、回路基板３１を覆うそれぞれケース２１，２２も小型化および簡素化が可能になる。さらに、点灯回路部２６、点灯回路部２６と受光素子２３およびリモコン制御部２７を接続するための部品や電線などを不要にすることができる。
【００３６】
加えて、照明器具１０は、器具本体１１の中央部になるほど温度が低いことが知られている。そこで、アダプタ取付部品１７の略１／２周を囲むような形状に回路基板３１を形成し、略１／４周面に沿って点灯回路部２６を実装して金属ケース２１で覆い、略１／４周面に沿って受光素子２３を含むリモコン制御部２７を樹脂ケース２２で覆う構造とした。
これにより、器具本体１１の中央部および放電灯１２の内径部分に放電灯点灯装置１３を配置することができる。
【００３７】
本発明の第１実施形態の照明器具１０では、点灯回路部２６と受光素子２３や周辺回路を分離して実装し、熱伝導率の良い金属ケース２１で温度上昇の高い点灯回路部２６を覆うことにより放熱効果をもたらし、熱伝導率の悪い樹脂ケース２２で温度定格の低い受光素子２３および周辺回路を覆うことにより熱を遮断することができる。
これにより、点灯回路部２６の温度上昇の影響を、温度定格の低い受光素子２３および周辺回路は極力受けることなく同一の回路基板３１上に実装することができるとともに回路基板３１を覆うそれぞれのケース２１，２２も小型化および簡素化が可能となる。さらに、点灯回路部２６、点灯回路部２６と受光素子２３および周辺回路とを接続するための部品や電線等を不要にすることができる。また、温度は、器具本体１１の中心部になるほど低くなる傾向があり、アダプタ取付部品１７の略１／２周を囲むような形状の回路基板３１を適用することにより実装面積も十分確保できるのに加えて、温度を配慮した形態により信頼性を向上させることができる。
従って、熱の影響を受けないように電子部品２３，２６を保護することができる。
【００３８】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００３９】
図５、図６に示すように、本発明の第２実施形態の照明器具４０は、金属ケース２１と樹脂ケース２２の境界付近において、樹脂ケース２２に高さの低い低部４１を形成している。
【００４０】
これは、回路基板３１に実装される金属ケース２１内のインバータ部２９の回路部品の高い雰囲気温度が、自己温度上昇が低い領域であり、かつ温度定格の低い受光素子２３および常夜灯２４等が実装されるリモコン制御部２７に流れ込むのを抑制する働きをする。さらに、温度定格の低い受光素子２３および常夜灯２４などの温度低減対策が可能となって信頼性の向上を図ることができる。
【００４１】
放電灯点灯装置１３の負荷である放電灯１２の最冷点は口金１９近傍に有する。また、放電灯点灯装置１３の受光素子２３およびその周辺回路を覆う樹脂ケース２２は放電灯１２の内径の内側に設置されて樹脂ケース２２近傍にランプソケット２０を配置している。そして、放電灯１２の最冷点付近４２は樹脂ケース２２の低部４１付近になるように配置されている。
【００４２】
低部４１により、最冷点付近４２に温度の流れが形成され、放電灯１２の最冷点温度が下がることになる。このことにより、放電灯１２の温度特性より、光束を増加させることができるとともに器具効率を上昇させることができる。
【００４３】
低部４１に操作スイッチ２５が取り付けられている。操作スイッチ２５は操作性を考慮して低背を使用する場合が多いが、樹脂ケース２２の低部４１に配置することができる。
これにより、金属ケース２１内の内部温度より約10℃高い定格である操作スイッチ２５を問題なく配置することができる。
【００４４】
本発明の第２実施形態の照明器具４０では、金属ケース２１内の高い温度が樹脂ケース２２の低い温度の方へ流れるのを遮断することが可能になる。
従って、温度定格の低い受光素子２３および周辺回路の温度上昇を抑制することによりさらに信頼性の向上を図ることができる。
【００４５】
本発明の第２実施形態の照明器具４０では、最冷点付近４２の樹脂ケース２２に低部４１を設けることにより空間が形成できるために、最冷点温度が下がり、光束が上昇する。
従って、器具効率の向上を図ることができる。
【００４６】
本発明の第２実施形態の照明器具４０では、リモコン受信設定用の操作スイッチは、操作性を考慮して低背を使用する場合が多いが、高さの低い樹脂ケース２２を用いて操作スイッチ２５を配置することができる。
従って、操作スイッチ２５の設置用のスペースを別所に設ける必要がなくなって樹脂ケース２１の小型化を図ることができる。
【００４７】
（実施例）
次に、本発明の照明器具の作用効果を確認するために行った実施例について説明する。
[温度測定試験]
従来の照明器具を比較例として、本発明の受光素子と常夜灯と放電灯の最冷点とについて、温度低減値の比較例との差および温度定格に対する余裕度を測定した。測定結果を表１に示す。
【００４８】
【表１】
2010251264.tif 000003
【００４９】
表１により明らかなように、受光素子は７．９℃、常夜灯は７．８℃、最冷点は４．０℃の温度低減をできることがわかった。それにより、受光素子は６．２℃、常夜灯は７．１℃の温度定格に対する余裕度がある。これは、本発明が、アダプタ取付部品１７の略１／２周を囲むように配置され、点灯回路部２６および受光素子２３をそれぞれ分離した位置に実装する単一の回路基板３１を備えて、アダプタ取付部品１７の略１／４周面に沿って点灯回路部２６を覆う金属ケース２１と、アダプタ取付部品１７の略１／４周面に沿って受光素子２３および周辺回路を覆う樹脂ケース２２と、を備えたからであることがわかる。
【００５０】
なお、前記各実施形態で使用した器具本体１１、放電灯１２、グローブ１４等は例示したものに限定するものではなく適宜変更が可能である。
【符号の説明】
【００５１】
１０  照明器具
１１  器具本体
１２  放電灯
１３  放電灯点灯装置
１６  電源給電アダプタ
１７  アダプタ取付部品
２０  ランプソケット
２１  金属ケース
２２  樹脂ケース
２３  受光素子（電子部品）
２５  操作スイッチ
２６  点灯回路部（電子部品）
３１  回路基板
【図１】
2010251264.tif 000004
【図２】
2010251264.tif 000005
【図３】
2010251264.tif 000006
【図４】
2010251264.tif 000007
【図５】
2010251264.tif 000008
【図６】
2010251264.tif 000009